(57)【要約】【課題】  メガネ狭細部の汚れの除去において、特に、鼻当てパッド、クリングス、ヒンジなどの汚れを速やかに除去でき、更に、鼻当てパッドとクリグスとの最も狭細部であっても、安定して効率よく、汚れの除去ができるメガネ狭細部用の掃除用具を提供することにある。【解決手段】  掃除用具本体（１）の中央に棒状の握柄（４）を設け、その一端にＵ字溝（９）を有し、湾出形状部（１３）を備える扁平略楕円形状の掃除部Ａ（２）を形成し、他端に窪み（５）を有し、湾入形状部（６）、直線形状部（７）備える扁平略矩形状の掃除部Ｂ（３）を形成する。【選択図】図１
2011237747.tif 000002
【特許請求の範囲】
【請求項１】
メガネ狭細部を掃除する小型の掃除用具であって、
棒状の握柄を有し、前記握柄の一端に、鼻当てパッドとクリングスとの連結部を掃除可能なＵ字溝を有する扁平形状の第１の掃除部を備え、
前記第１の掃除部は、前記Ｕ字溝を前記連結部に挿入し前後に摺動可能なことを特徴とするメガネ狭細部用の掃除用具。
【請求項２】
更に前記握柄の他端に、メガネの鼻当てパッド側面に嵌合可能にして滑動可能な窪みを有する扁平形状の第２の掃除部を備えることを特徴とする請求項１に記載のメガネ狭細部用の掃除用具。
【請求項３】
前記第１の掃除部及び前記第２の掃除部の少なくともいずれか１方の掃除部の周縁部に湾入形状部、湾出形状部、直線形状部のうち少なくとも１以上の形状部を備え、
前記湾入形状部は、前記掃除部の平面部を前記連結部を中心に回動させ鼻当てパッドを掃除するときのガイドとして機能可能な形状を有し、
前記湾出形状部は、接触面積が小さくピンポイントで汚れを除去可能であり、
前記直線形状部は、メガネのヒンジ、クリングス及びメガネフレーム全体の角度の付いた部位に対し強く集中的に摺動可能で当該部分を掃除可能なことを特徴とする請求項１又は請求項２に記載のメガネ狭細部用の掃除用具。
【請求項４】
前記第１の掃除部は、扁平略楕円形状または扁平略円形状であり、
前記第２の掃除部は、扁平略矩形状であり、周縁部に前記湾入形状部及び直線形状部を備えることを特徴とする請求項３に記載のメガネ狭細部用の掃除用具。
【発明の詳細な説明】
【技術分野】
【０００１】  本発明は、メガネ狭細部の汚れを除去するための掃除用具に係り、特に、メガネの鼻当パッド、クリングス（鼻当てパッドとレンズフレームを繋ぐ部位）、ヒンジ（耳掛けフレームの開閉部丁番）及び鼻当てパッドとクリングスとの連結部等に付着した汚れを円滑に除去できるメガネ狭細部用の掃除用具に関するものである。
【背景技術】
【０００２】  近年では、ファッションに付随する重要な装飾品としての役割も担うメガネであるが、メガネを使用することで、顔の中心部に位置する鼻当てパッドなどに付着する皮脂や埃、化粧などの汚れは大変目立ち人目も気になるものであり、メガネ愛用者にとって最大の悩みともいうべき事柄である。【０００３】  特に、屋外での雨や風、土埃、また、多量の汗をかいての仕事或いは活動される方、更に、屋内であっても工場等の塵や埃が浮遊する職場環境の方、また更に、脂性で多量の皮脂が付着する方々のメガネの鼻当てパッド及び、その周辺の汚れなどは特にひどく、数日或いは、職業によっては一日で汚れてしまう。しかし、そのような汚れを除去できる狭細部専用の掃除用具などは存在（販売）しておらず、仕方なく綿棒やティッシュペーパー、歯ブラシなどといった代用品で間に合わせて汚れを除去するなど成されているのが現状である。【０００４】  そして、従来のメガネの掃除用具としては、棒状の掃除長体の長方向の一端に、メガネ鼻当てパッドの取付座に係合する凹凸部を平たく設けたものがある（例えば、特許文献１参照）。
また、掃除長体に掃除袋を被せたものがある（例えば、特許文献２参照）。
更に、弓型の掃除支持基体の弦を張る方向の両端間に、帯状の掃除長体を架設したものがある（例えば、特許文献３参照）。
【先行技術文献】
【特許文献】
【０００５】
【特許文献１】  実開昭６１−４１２２１号公報
【特許文献２】  実開昭６１−４１２２２号公報
【特許文献３】  実開昭６１−４４６３１号公報
【発明の概要】
【発明が解決しようとする課題】
【０００６】  上記綿棒の綿球部においては、現在では小径のものなどいろいろな形状のものが見受けられるものの、いずれも厚みがあり、メガネ狭細部に進入させることは困難を極め、無理に押し込もうとすれば連結部などを破損させる場合などもある。又、ヒンジやクリングスなどの汚れは長期間放置された場合、綿棒のような大きく柔らかいものでは落ち難い。そして、鼻当てパッドは揺動自在連結部で自在に動く仕組みに構成されており、ティッシュペーパーなどで拭き取ろうとすれば揺れぐらつき、不安定な鼻当てパッドの上面、側面の汚れを拭き取ることは至難で時間もかかる上、綿棒同様に連結部などを破損させる危険も伴う。【０００７】  また、歯ブラシを用いて水を流しながら擦る方法では、顔の皮脂などの粘着した汚れは綺麗に取り除くことは困難であり、ブラシの毛先やブラシ本体でレンズ及びフレームを傷つける恐れもあり、更に、濡れたメガネの水分を拭き取る手間も必要となってくる。【０００８】  更に、他の掃除手段として、超音波の振動で発生した小気泡で汚れを落とす超音波洗浄機があるが、汚れを浮かせる作用はあるものの狭細部の汚れまでは確実に除去できず、使用後にメガメ狭細部の浮いた汚れや水分は結局拭き取る手間が必要とされる。また、洗浄機は自宅以外での使用、携帯には適していない。【０００９】  そして、上記特許文献１にあっては、握り部がこのような平らで薄く幅があるものでは操作性が悪く、細かい掃除作業の微調整ができない。また、掃除部に凹凸部を設け鼻当てパッドとクリグスとの連結部に係合できるようになってはいるものの、溝が浅いため前後摺動ができず回動させることしかできないので汚れが綺麗に落とせない。しかも不安定で連結部より離脱することが考えられる。更に、掃除部が鼻当てパッドの中心部に位置する連結部より向かって後方（奥側）に廻しづらく、また、廻し届く範囲が限られる。そして、鼻当てパッド側面の汚れは、凹凸部を平らにしただけの掃除部形状ではパッド側面に沿う形状になっておらず汚れの除去は難しいなどの問題点があった。
また、特許文献２においては、掃除部長体に掃除袋を被せた二重構造となっており、押し当てて掃除作業中、掃除袋がずれ動き上手く汚れが拭き取れないことなどが考えられる。そして、掃除袋の全体が汚れる迄長期間使うのでは不清潔であるなどの問題点があった。
更に、先行技術文献３は、掃除部を強く押し当てた場合、掃除部が弛み、汚れを隈無く取り除くことは困難であり、しかも、このような大きいものでは扱い難くメガネ狭細部の掃除用具には適さないなどの問題点があった。
そして、上記の先行技術文献のものは、いずれも市場で見かけることがなく実用的ではないと思われる。【００１０】  本発明の目的は、従来の掃除手段、掃除用具に比較し使い勝手がよく実用効果を格段に向上させたメガネ狭細部用の掃除用具を提供することにある。
【課題を解決するための手段】
【００１１】  前述の如き従来の問題に鑑みて、本発明に係る掃除用具は、棒状の握柄（４）の一端に鼻当てパッド（２０Ｍ）とクリングス（２１Ｍ）との連結部（２２Ｍ）を掃除可能なＵ字溝（９）を有する扁平形状の第１の掃除部Ａ（２）を設け、第１の掃除部Ａ（２）は、Ｕ字溝（９）を連結部（２２Ｍ）に挿入し前後に摺動可能に形成したものである。【００１２】  更に、握柄（４）の他端に、鼻当てパッド側面（２５Ｍ）に嵌合可能にして滑動可能な窪み（５）を有する扁平形状の第２の掃除部Ｂ（３）を設けることで、好ましいメガネ狭細部用の掃除用具とすることができる。【００１３】  また、第１の掃除部Ａ（２）及び第２の掃除部Ｂ（３）の少なくともいずれか１方の掃除部の周縁部に湾入形状部（６）、湾出形状部（１３）、直線形状部（７）のうち少なくとも１以上の形状部を設け、湾入形状部（６）は、連結部（２２Ｍ）に湾入形状部（１３）を当接して滑動させ、掃除部の平面部（１２）を連結部（２２Ｍ）を中心に回動して鼻当てパッド上面（２４Ｍ）を掃除するときのガイドとして機能可能な形状とし、湾出形状部（１３）は、接触面積が小さくピンポイントで汚れを除去可能とし、直線形状部（７）は、メガネのヒンジ（２３Ｍ）、クリングス（２１Ｍ）及びメガネフレーム（２６Ｍ）全体の角度の付いた部位に対し強く集中的に摺動可能で当該部分を掃除可能に形成することで、より好ましいメガネ狭細部用の掃除用具とすることができる。【００１４】  また更に、前記第１の掃除部Ａ（２）を扁平略楕円形状または扁平略円形状とし、前期第２の掃除部Ｂ（３）を扁平略矩形状とし、周縁部に前記湾入形状部（６）及び直線形状部（７）を備えるように構成することで更により好ましいメガネ狭細部用の掃除用具とすることができる。
【発明の効果】
【００１５】  上述のように、本発明のメガネ狭細部用の掃除用具は、握柄（４）を棒状とすることで操作性が良くなり、両端掃除部を扁平形状とすることで狭細部であっても容易に進入させ摺動することができ、特に、鼻当てパッド（２０Ｍ）とクリングス（２１Ｍ）との連結部（２２Ｍ）などは、第１の掃除部Ａ（２）のＵ字溝（９）全体で離脱することなく前後摺動で効率よく垢が除去できる。また、揺れぐらつく鼻当てパッド（２０Ｍ）も第１の掃除部Ａ（２）の左右に分岐した二股形状で垢の除去作業が安定して出来る。【００１６】  更に、メガネの鼻当てパッド側面（２５Ｍ）に嵌合可能にして滑動可能な窪み（５）を有する扁平形状の第２の掃除部Ｂ（３）を設けることで、鼻当てパッド側面（２５Ｍ）の汚れが安定して一気に拭き取れる。【００１７】  また、湾入形状部（６）を設けることで鼻当てパッド上面（２４Ｍ）などの広範囲の汚れは、掃除部の湾入形状部（６）を連結部（２２Ｍ）に当接して滑動させ、拭き取り移動が円滑にできる。更に、連結部（２２Ｍ）より後方（奥側）へ廻し届き、汚れの拭き取りが広範囲になる。また、湾出形状部（１３）を設けることで、第１の掃除部Ａ（２）のＵ字溝（９）で掃除し、残った連結部（２２Ｍ）及びその近傍の垢は湾出形状部（１３）で集中的に除去できる。また、直線形状部（７）を設けることでヒンジ（２３Ｍ）などを強く集中的に摺動し、当該部分をきれいに掃除することができる。【００１８】  また更に、前記第１の掃除部Ａ（２）を扁平略楕円形状または扁平略円形状とすれば、周縁部が湾出するため別途、湾出形状部（１３）を設ける必要がなく、更に、前記第２の掃除部（３）を扁平略矩形状とし、周縁部に前記湾入形状部（６）及び直線形状部（７）を設ければ、多機能性に優れデザイン的にも好ましい。【００１９】  以上のように本発明に係るメガネ狭細部用の掃除用具は、従来の掃除用具に比較し使い勝手がよく実用効果を格段に向上させることが可能であり、メガネ愛用者のこれまでの悩みを解決することができる。
【図面の簡単な説明】
【００２０】
【図１】  本発明のメガネ狭細部用の掃除用具の斜視図である。
【図２】  本発明のメガネ狹細部用の掃除用具の平面図である。
【図３】  本発明の掃除部Ａ（２）と軸状の握柄（４）端部の拡大側面図である。
【図４】  本発明の掃除部Ｂ（３）と軸状の握柄（４）端部の拡大側面図である。
【図５】  本発明のＵ字溝（９）の使用例を説明する概略図である。
【図６】  本発明の湾出形状部（１３）の使用例を説明する概略図である。
【図７】  本発明の湾入形状部（６）の使用例を説明する概略図である。
【図８】  本発明の直線形状部（７）の使用例を説明する概略図である。
【図９】  本発明の窪み（５）の使用例を説明する概略図である。
【図１０】  本発明の掃除部Ａ（２）、掃除部Ｂ（３）の他の形態を示す平面概略図である。
【発明を実施するための形態】
【００２１】  以下、本発明の実施の形態について図１〜図１０に基づいて詳述するが、これによって本発明が限定されるものではない。
【００２２】  図１は、本発明のメガネ狭細部用の掃除用具の斜視図、図２は平面図であり、図３及び図４は掃除部Ａ（２）、掃除部Ｂ（３）と棒状の握柄（４）との厚みを示す拡大側面図である。これらの図示において棒状の握柄（４）の両端に掃除部を設けた綿棒とほぼ同等な棒状の握柄を有するもので、メガネ狭細部用の掃除用具は、この棒状の握柄（４）の一端にＵ字溝（９）を有し湾出形状部（１３）を備える扁平略楕円形状の第１の掃除部である掃除部Ａ（２）を設け、棒状の握柄（４）の他端に窪み（５）を有し湾入形状部（６）直線形状部（７）を備える扁平略矩形状の第２の掃除部である掃除部Ｂ（３）を設け、その両端掃除部の一部或は全面を掃除面とし構成した、小型のメガネ狭細部用の掃除用具である。
【００２３】  上記両端の掃除部Ａ（２）、掃除部Ｂ（３）である形状の目的、使用例、効果などについてそれぞれ説明する。
【００２４】  まずは、本発明の掃除部Ａ（２）は、図５において、深い溝で二股形状のＵ字溝（９）を中心に、鼻当てパッド（２０Ｍ）とクリングス（２１Ｍ）との連結部（２２Ｍ）を最深部のＲ部（８）まで挿入し当接させ左右摺動し、Ｕ字溝側面（１０）の直線部分で前後摺動する。即ち、深い溝であるＵ字溝（９）内で連結部（２２Ｍ）を離脱することなく逃がさないようにして前後左右に摺動し、Ｕ字溝側面（１０）全体で連結部（２２Ｍ）及びその近傍の垢を効率よく擦り落とす役目を担う形状と成している。
【００２５】  そして、掃除部Ａ（２）のＵ字溝（９）全体で掃除作業中、連結部（２２Ｍ）を挟んで左右に分岐した二股形状が揺れぐらつく不安定な鼻当てパッド（２２Ｍ）を均等に左右バランスよく押さえる適度な力になっている。つまり、掃除部Ａ（２）は、鼻当てパッド（２０Ｍ）の揺動を軽減し掃除作業を安定させる形状と成している。
【００２６】  また、図６の湾出形状部（１３）は、Ｕ字溝側面（１０）全体で摺動後、落としきれなかった微量の垢などを狙い落とす時に適した形状である。なぜなら、湾出形状部（１３）は外部へ湾曲しているため汚れ目的部位に当接した場合、接触面積が小さく摩擦力が大きいため残ってしまった落とし難い垢を、的確且つ迅速に除去できる形状と成している。つまり湾出形状部（１３）は、接触面積が小さくピンポイントで汚れを除去することができる。
【００２７】  上述のように、例証した掃除部Ａ（２）は、Ｕ字溝（９）で効率よく汚れの除去作業中は、二股形状が同時に鼻当てパッド（２２Ｍ）を安定させ、相乗効果が高まる。落としきれなかった垢も湾出形状部（１３）で集中的に除去できる好ましい構成であり、速やかに効率よく掃除が可能な掃除用具が提供される。
【００２８】  次に、図７おいて、掃除部Ｂ（３）の平面部（１２）で鼻当てパッド上面（２４Ｍ）などの広範囲の汚れを素早く拭き取る場合などに有効であり、その手段として、連結部（２２Ｍ）に湾入形状部（６）を当接して滑動させ流れるように廻し、平面部（１２）で鼻当てパッド上面（２４Ｍ）の汚れの拭き取り移動が円滑にでき、またその掃除作業の動作で連結部（２２Ｍ）の汚れも除去できる。更に、鼻当てパッド上面（２４Ｍ）の中心部に位置する連結部（２２Ｍ）より向かって後方（奥側）に、より廻し届き汚れをスムーズに除去できる。いわば湾入形状部（６）はガイドとしての役割と、連結部より後方（奥側）まで簡単に廻し届き、広範囲に汚れを拭き取れ、連結部（２２Ｍ）の汚れまでも除去できる形状と成している。
【００２９】  そして、図８の直線形状部（７）は、ヒンジ（２３Ｍ）やクリングス（２１Ｍ）、加えてメガネフレーム（２６Ｍ）全体の角度の付いた部位などを強く集中的に摺動して、長期間放置された頑固な垢を除去する場合に有効である。
【００３０】  更に、図９において、先端部の窪み（５）は、丸みを帯びた鼻当てパッド側面（２５Ｍ）に沿う形状の凹溝であり、汚れの除去に適合した形状である。また、鼻当てパッド側面（２５Ｍ）に窪み（５）を嵌合させ滑動することで、鼻当てパッド（２０Ｍ）の揺動を軽減することができ、拭き取り作業で鼻当てパッド側面（２５Ｍ）から掃除面の窪み（５）が、はみ出し脱落が発生することも回避でき、安定し尚且つ簡便に汚れの拭き取りができる形状と成している。
【００３１】  上述のように、掃除部Ｂ（３）は、湾入形状部（６）及び直線形状部（７）、窪み（５）の三種形状部を備えた掃除部である。よって、どんなメガネのタイプ（形状）であっても対応し掃除を完了させることができる、好ましい構成の掃除用具が提供される。
【００３２】  本発明のメガネ狭細部用の掃除用具は、両端掃除部に設けられたＵ字溝（９）、窪み（５）を含む各形状部を備えるので、目的部位に応じた形状部を選択可能で、多機能性に優れ実用効果は顕著であり、時間がかかり難しく困難であったメガネ狭細部の掃除作業が容易となり、メガネ愛用者の悩みを解消することができる。
また、本発明のメガネ狭細部用の掃除用具は、自宅やオフィスなどでも手軽に使用でき、しかも生産コストも低く経済的であり、使用後のメンテナンスコストは不要で、従来からのメガネ掃除手段としての代用品及び洗浄機等に頼るまでもない。
【００３３】  なお、図１０は、本発明掃除部の他の実施形態を示すもので、Ｃは上記扁平略楕円形状の掃除部Ａ（２）の変形例であって、扁平略矩形状にＵ字溝（９）を設けたもの、Ｄは上記扁平略矩形状の掃除部Ｂ（３）の変形例であって、扁平略楕円形状に窪み（５）を設けたもの、Ｅは上記扁平略矩形状の掃除部Ｂ（３）の変形例であって、直線形状部（７）及び湾出形状部（１３）を設け扁平略三角形状としたものである。また、掃除部Ａ（２）の形状においては、扁平略楕円形状に限らず扁平略円形状としてもよい。また更に、棒状の握柄（４）の形状ついては、丸状、四角状、八角状など何でもよい。
【００３４】  そして、上記メガネ狭細部用の掃除用具は、基材となる掃除用具本体（１）と、掃除用具本体（１）のうち掃除部Ａ（２）及び掃除部Ｂ（３）を覆う掃除材（１１）で構成される。掃除材（１１）については、主として綿繊維、紙繊維、化学繊維などからなる繊維体を主に捲着、圧着、貼設、圧締などとする。しかし、掃除用具本体（１）を掃除材（１１）で覆う構成ではなく、掃除用具本体（１）を掃除材（１１）と同じ素材で形成してもよい。
【００３５】  また、本発明の両端掃除部の一部や縁辺、或いは全面に、主として繊維質などで起毛を設けたものや、ナイロン系などでブラシ状に設けたもの、加えてルーレット（ぎざぎざの小突起）などを設けたものでもよい。
【符号の説明】
【００３６】  １      掃除用具本体
２      掃除部Ａ
３      掃除部Ｂ
４      握柄
５      窪み
６      湾入形状部
７      直線形状部
８      Ｒ部
９      Ｕ字溝
１０    Ｕ字溝側面
１１    掃除材
１２    平面部
２０Ｍ  鼻当てパッド
２１Ｍ  クリングス
２２Ｍ  連結部
２３Ｍ  ヒンジ
２４Ｍ  パッド上面
２５Ｍ  パッド側面
２６Ｍ  メガネフレーム
【図１】
2011237747.tif 000003
【図２】
2011237747.tif 000004
【図３】
2011237747.tif 000005
【図４】
2011237747.tif 000006
【図５】
2011237747.tif 000007
【図６】
2011237747.tif 000008
【図７】
2011237747.tif 000009
【図８】
2011237747.tif 000010
【図９】
2011237747.tif 000011
【図１０】
2011237747.tif 000012